(57)【特許請求の範囲】
【請求項１】
帯状に成形されたレール部材の長手方向で一方側の端縁に、前記レール部材の前記端縁を挟み込むように二つ折りにされたピン部材が取り付けられている一方、遊技盤を前後方向で貫通するようにピン孔が穿設されており、前記ピン部材を前記遊技盤の前面側から前記ピン孔へ差し込むことによって、前記遊技盤の前面に対して所定の取付角度で起立した姿勢で前記レール部材を配設可能となっており、
前記レール部材として外レールと内レールとが配設されて、前記外レールと前記内レールとによって囲まれた領域が、遊技球が流下可能な遊技領域とされているとともに、前記外レールと前記内レールとの間が、前記遊技領域へ遊技球を打ち込むための発射通路とされたパチンコ機であって、
少なくとも前記外レールに取り付けられる前記ピン部材の先端部と基端部との間に、前記先端部よりも幅広な保持部が形成されている一方、
前記遊技盤に薄肉部が形成され、前記薄肉部に、前記外レールの前記ピン部材が差し込まれる前記ピン孔が穿設されており、
前記薄肉部において、前記ピン部材の前記先端部を前記遊技盤から後方へ突出させ、且つ、前記保持部を前記ピン孔内に位置させた状態で、前記外レールが配設されていることを特徴とするパチンコ機。
【発明の詳細な説明】
【技術分野】
【０００１】
本発明は、遊技領域へ遊技球を打ち込んで流下させて遊技するパチンコ機に関するものである。
【背景技術】
【０００２】
従来一般的なパチンコ機では、遊技盤の前面に金属製の薄板部材からなるレール部材を所定の取付角度で起立させた姿勢で円弧状に配設し、該レール部材によって囲まれた領域を、遊技球の流下する遊技領域としている。また、レール部材の配設に係る構成としては、レール部材にピンを取り付ける一方、遊技盤前面にピンを差し込み可能なピン孔を穿設し、上記ピンをピン孔へ圧入してレール部材を配設するという構成を採用したものがある。そして、そのような構成におけるピン部材としては、たとえば特許文献１に記載されているように、レール部材に開設されているピン取付用孔へ挿通させた状態において略中央で二つ折りにされた金属片からなるものを用いることがある。
【先行技術文献】
【特許文献】
【０００３】
【特許文献１】特開２００５−１２４８１０号公報
【発明の概要】
【発明が解決しようとする課題】
【０００４】
しかしながら、上記二つ折りにされたピン部材を採用したものにおいては、ピン部材をピン孔へ圧入する際、ピン部材の先端部のうちの一方の先端部が他方の先端部よりも差し込み方向でずれてしまう状態が起こりやすい。すなわち、ピン部材に差し込み方向で歪みが生じやすく、ひいてはレール部材の取付角度が所定の取付角度とならない事態が起こりやすいという問題があった。
【０００５】
そこで、本発明は、上記問題に鑑みなされたものであって、二つ折りにされたピン部材を採用してレール部材を配設しているものの、精度の良い取付角度でレール部材を取り付けることができるパチンコ機を提供しようとするものである。
【課題を解決するための手段】
【０００６】
上記目的を達成するために、本発明のうち請求項１に記載の発明は、帯状に成形されたレール部材の長手方向で一方側の端縁に、前記レール部材の前記端縁を挟み込むように二つ折りにされたピン部材が取り付けられている一方、遊技盤を前後方向で貫通するようにピン孔が穿設されており、前記ピン部材を前記遊技盤の前面側から前記ピン孔へ差し込むことによって、前記遊技盤の前面に対して所定の取付角度で起立した姿勢で前記レール部材を配設可能となっており、前記レール部材として外レールと内レールとが配設されて、前記外レールと前記内レールとによって囲まれた領域が、遊技球が流下可能な遊技領域とされているとともに、前記外レールと前記内レールとの間が、前記遊技領域へ遊技球を打ち込むための発射通路とされたパチンコ機であって、少なくとも前記外レールに取り付けられる前記ピン部材の先端部と基端部との間に、前記先端部よりも幅広な保持部が形成されている一方、前記遊技盤に薄肉部が形成され、前記薄肉部に、前記外レールの前記ピン部材が差し込まれる前記ピン孔が穿設されており、前記薄肉部において、前記ピン部材の前記先端部を前記遊技盤から後方へ突出させ、且つ、前記保持部を前記ピン孔内に位置させた状態で、前記外レールが配設されていることを特徴とする。
【発明の効果】
【０００７】
本発明によれば、遊技盤に薄肉部を形成するとともに、薄肉部にピン孔を穿設しており、ピン部材の先端部を遊技盤から後方へ突出させた状態でレール部材を配設している。したがって、ピン部材をピン孔へ差し込む際、二つ折りにされたピン部材の先端部のうちの一方の先端部が他方の先端部よりも差し込み方向でずれそうになるものの、ピン孔の穿設箇所が薄肉となっているため、ずれないまま若しくは従来よりもずれが小さい状態において、先端部が遊技盤よりも後方へ突出する。そのため、差し込み時におけるピン部材の歪みを従来よりも抑制することができ、ひいてはレール部材を精度の良い取付角度で配設することができる。
また、ピン部材の先端部と基端部との間に、先端部よりも幅広な保持部を形成し、保持部をピン孔内に位置させた状態でレール部材を配設している。したがって、ピン部材の先端部が遊技盤から後方へ突出することで、レール部材の配設時におけるピン部材と遊技盤との接触面積は少なくなっているものの、保持部によってピン部材の差し込み状態を強固に保持することができ、レール部材を確実に固定することができる。
さらに、外レールを配設するためのピン孔を薄肉部に穿設しているため、より取付角度の精度を求められる外レールを精度良く配設することができるし、外レールの取付箇所にのみ薄肉部を設ける等の加工を施せばよく、製造コストの低減等をも図ることができる。
【図面の簡単な説明】
【０００８】
【図１】パチンコ機を前面側から示した説明図である。
【図２】遊技盤を前面側から示した説明図である。
【図３】パチンコ機を後面側から示した説明図である。
【図４】遊技盤と外レール及び内レールとを示した斜視説明図である。
【図５】遊技盤の後面側を示した斜視説明図である。
【図６】レールピンをピン孔に差し込んだ状態の断面を示した説明図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。また、図２は、遊技盤２を前面側から示した説明図である。さらに、図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を嵌め込み設置してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６の左部における両レール２３、２４間が遊技球を遊技領域１６内へ打ち込むための発射通路１３とされている。また、遊技領域１６の略中央には、「０」〜「９」の数字からなる装飾図柄を表示するための図柄表示部６が設けられている。さらに、図柄表示部６を囲むように種々の電動役物を備えたセンター部材２６が遊技盤２に設置されており、該センター部材２６の左方には、遊技球が通過可能なゲート部材６０が設けられている。加えて、遊技領域１６におけるセンター部材２６の下方には、遊技球が入賞可能な始動入賞口１９と、一対の翼片を開閉動作可能に備えたチューリップ式電動役物１７と、開閉可能な扉部材を有する大入賞装置１８とが設置されている。
【００１２】
さらに、遊技領域１６外となる遊技盤２の右下部には、保留情報の数を表示する４つのＬＥＤからなる保留表示部２０と、特別図柄を表示するための７セグメント表示器からなる特別図柄表示部６１とが設けられている。なお、保留表示部２０や特別図柄表示部６１は、前扉４を閉塞したとしても、前扉４の前方にいる遊技者から視認可能な位置に設けられている。
【００１３】
また、機枠３の前面側であって上記遊技盤２の下方には、遊技球を発射装置１０へ供給するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させるためのハンドル９が回動操作可能に設置されている。加えて、供給皿７の前方には、遊技者が任意に押し込み操作可能な押しボタン２５が設けられている。
さらに、前扉４の上部には、効果音や各種メッセージ等を報音する一対のスピーカ１４、１４が設けられており、前扉４の側部には、パチンコ機１の遊技状態等に応じて点灯・点滅する複数のＬＥＤを備えたランプ部材１５、１５が設けられている。
【００１４】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂「大当たり抽選」等）を実行するためのメイン制御装置（図示せず）、図柄表示部６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及び表示制御装置や音制御装置等の動作を統合的に制御するサブ制御装置（図示せず）等が設置されている。尚、２２は、パチンコ機１をトランスに接続するためのプラグであり、２７は、アースである。
【００１５】
以上のようなパチンコ機１では、遊技者によってハンドル９が回動操作されると、発射装置１０が作動して遊技球が発射通路１３内を特に外レール２３に沿って打ち出され、最終的に遊技領域１６内へ打ち込まれる。そして、遊技領域１６内を流下する遊技球が図柄始動口１９やチューリップ式電動役物１７へ入賞すると、メイン制御装置にて「大当たり抽選」を行う。該「大当たり抽選」は、乱数から１つの数値を取得する態様で行われ、取得した数値に応じて、「大当たり」であるか「外れ」であるかを決定するとともに、装飾図柄及び特別図柄の変動時間を決定する。そして、「大当たり抽選」の結果、「大当たり」である場合には、決定した変動時間だけ装飾図柄及び特別図柄を夫々の表示部にて変動表示させた後、図柄表示部６に所定の「大当たり装飾図柄」（たとえば、「７、７、７」等）を、特別図柄表示部６１に所定の「大当たり特別図柄」（たとえば、「１」等）を夫々確定表示させる。さらに確定表示後、大入賞装置１８の扉部材を所定回数にわたって断続的に開成させるといった所謂「大当たり状態」を生起させる。一方、「大当たり抽選」の結果、「外れ」である場合には、決定した変動時間だけ装飾図柄及び特別図柄を変動表示させた後、図柄表示部６に「外れ装飾図柄」（たとえば、「１、２、１」等）を、特別図柄表示部６１に「外れ特別図柄」（たとえば、「０」等）を夫々確定表示させる。また、図柄の変動表示中（たとえば図柄表示部６におけるリーチ演出中等）において、サブ制御装置による制御のもと、センター部材２６に備えられた各種電動役物を種々の態様で動作させ、遊技者に「大当たり状態」生起の期待感を抱かせる。
【００１６】
（レール部材の配設に係る構造の説明）
ここで、本発明の要部となる外レール２３の配設に係る構造について、図４〜図６にもとづき詳細に説明する。図４は、遊技盤２と外レール２３及び内レール２４とを示した斜視説明図である。図５は、遊技盤２の後面側を示した斜視説明図である。図６は、レールピン４０をピン孔４１に差し込んだ状態の断面を示した説明図である。なお、図４では、遊技盤２を模式的に記載しており、遊技釘等は勿論、遊技盤２の中央に開設される図柄表示部６を露出するための開口等についても記載を省略している。
【００１７】
外レール２３は、帯状の金属薄板からなり、長手方向で一方側の端縁を遊技盤２の前面に当接させ、遊技盤２の前面に対して所定の取付角度で起立した姿勢で略円弧を描くように配設されるものである。そして、該外レール２３の遊技盤２前面に当接する側の端縁に沿って、外レール２３を遊技盤２の前面に固定するための複数のレールピン４０、４０・・が取り付けられている。各レールピン４０は、外レール２３の端縁を挟み込むように二つ折りにされた金属片であって、先端部４０ｃと基端部４０ａとの間となる中間部には、先端部よりも幅広な保持部４０ｂが形成されている。また、各レールピン４０の長さは、遊技盤２の厚みと略同じとなる長さ、すなわち外レール２３を立設した際、各レールピン４０の先端部４０ｃが遊技盤２の後面と略面一となるような長さとなっている。なお、レールピン４０の外レール２３への取り付けに係る構成は、上記特許文献１に開示の構成と同様である。
【００１８】
一方、遊技盤２の前面で、外レール２３を配設する位置には、レールピン４０、４０・・と同じ間隔で、レールピン４０、４０・・を差し込むためのピン孔４１、４１・・が穿設されている。各ピン孔４１は、遊技盤２の前面に対して垂直に、且つ、遊技盤２の前面から後面にわたって貫通するように設けられている。また、レールピン４０が差し込まれる前の各ピン孔４１の孔径は、各レールピン４０の先端部４０ｃの幅及び厚みよりも小さい径とされている。さらに、遊技盤２の後面で、ピン孔４１、４１・・が穿設されている位置には略円形の凹部４２、４２・・が形成されており（すなわち、各ピン孔４１の後端は凹部４２内に開口している）、周囲よりも薄肉とされている。各凹部４２は、ピン孔４１は勿論、レールピン４０の先端部４０ｃよりも広い面積にわたって前方へ凹むように形成されている。また、各凹部４２の前後方向での凹み量は、当該凹部４２位置での遊技盤２の厚みが各レールピン４０の基端部４０ａから保持部４０ｂまでの長さよりも厚く、かつ、基端部４０ａから先端部４０ｃまでの長さよりは薄くなるような量となっている。
【００１９】
上述したような構成を有する遊技盤２に対して、外レール２３を配設するにあたっては、外レール２３に取り付けられているレールピン４０、４０・・を対応するピン孔４１、４１・・へ、外レール２３のレールピン４０、４０・・取付側の端縁が遊技盤２の前面に当接するまで、遊技盤２の前面側から圧入すればよい。すると、図６に示すように、先端部４０ｃがピン孔４１から後方へ突出して凹部４２内に位置するとともに、保持部４０ｂがピン孔４１の内部（遊技盤２の内部）に位置する状態となり、外レール２３が遊技盤２の前面に所定の取付角度で起立した姿勢で配設されることになる。この圧入時、レールピン４０の先端部４０ｃのうちの一方の先端部が他方の先端部よりも差し込み方向でずれそうになるものの、ピン孔４１の穿設箇所が薄肉となっているため、ずれないまま若しくは従来よりもずれが小さい状態において、先端部４０ｃが凹部４２内へ突出する。したがって、圧入時におけるレールピン４０の歪みを従来よりも抑制することができ、ひいては外レール２３の取付角度が所定の取付角度から大きくずれたりしない。
【００２０】
（本実施形態のパチンコ機による効果）
以上のような構成を有するパチンコ機１によれば、遊技盤２の後面に凹部４２を形成して、当該凹部４２位置での遊技盤２の厚みをレールピン４０の長さよりも薄くなるようにするとともに、レールピン４０を差し込むためのピン孔４１を、その後端が凹部４２内に開口するように設けており、外レール２３を遊技盤２に配設するにあたって、遊技盤２の前面側からレールピン４０をピン孔４１へ圧入した際、レールピン４０の先端部４０ｃが遊技盤２の後面から突出して凹部４２内へ位置するように構成している。したがって、圧入に伴いレールピン４０の先端部４０ｃのうちの一方の先端部が他方の先端部よりも差し込み方向でずれそうになるものの、ピン孔４１の穿設箇所が薄肉となっているため、ずれないまま若しくは従来よりもずれが小さい状態において、先端部４０ｃが凹部４２内へ突出する。そのため、圧入時におけるレールピン４０の歪みを従来よりも抑制することができ、ひいては外レール２３を精度の良い取付角度で配設することができる。
【００２１】
また、レールピン４０の中間部に先端部４０ｃよりも幅広な保持部４０ｂを設けており、外レール２３を配設した際、保持部４０ｂについてはピン孔４１の内部に留まらせるようにしている。したがって、レールピン４０の先端部４０ｃが遊技盤２後面から突出することで、外レール２３配設時におけるレールピン４０と遊技盤２との接触面積は少なくなっているものの、保持部４０ｂによってレールピン４０の差し込み状態を強固に保持することができ（すなわち、ピン孔４１からの脱落を確実に防止することができ）、外レール２３を確実に固定することができる。
【００２２】
さらに、発射装置１０から打ち出された遊技球は発射通路１３内を外レール２３に沿って遊技領域１６へと到達することになるため、外レール２３と内レール２４とでは特に外レール２３に取付角度の精度を求められる。そして、パチンコ機１では、外レール２３を配設するためのピン孔４１を凹部４２内に穿設しているため、少なくとも外レール２３を精度良く配設することができるし、外レール２３の配設箇所にのみ凹部４２を設ける等の加工を施せばよく、製造コストの低減等をも図ることができる。
【００２３】
（本発明の変更例について）
なお、本発明のパチンコ機に係る構成は、上記実施形態に何ら限定されるものではなく、パチンコ機全体の構成は勿論、レールピンやピン孔、凹部といったレール部材の設置に係る構成等についても、本発明の趣旨を逸脱しない範囲で必要に応じて適宜変更可能である。
【００２４】
たとえば、上記実施形態では、遊技盤２の後面に凹部４２を形成して薄肉部を設けているが、前面に凹部を形成してもよいし、また両面ともに凹部を形成してもよい。さらには、レール部材に沿って溝状に薄肉部を形成してもよく、薄肉部をどのように形成するかは適宜変更可能である。なお、薄肉とは、少なくとも遊技領域１６における厚みと比べると薄肉であるということを意味する。
また、上記実施形態では、外レール２３を配設するためのピン孔４１、４１・・のみ凹部４２内に開口するように穿設しているが、内レール２４を配設するピン孔についても同様に凹部内に開口させても何ら問題はない。
【符号の説明】
【００２５】
１・・パチンコ機、２・・遊技盤、１３・・発射通路、１６・・遊技領域、２３・・外レール（レール部材）、２４・・内レール（レール部材）、４０・・レールピン（ピン部材）、４０ａ・・基端部、４０ｂ・・保持部、４０ｃ・・先端部、４１・・ピン孔、４２・・凹部（薄肉部）。
【図１】
0006047826.tif 000002
【図２】
0006047826.tif 000003
【図３】
0006047826.tif 000004
【図４】
0006047826.tif 000005
【図５】
0006047826.tif 000006
【図６】
0006047826.tif 000007